(57)【要約】      （修正有）【課題】玄関収納や壁面収納ユニットに用いる扉の場合、使用する人によって、身長差による取手の取り付け高さ位置の最適値の設定を容易にし、扉開閉時の指詰め怪我を防止し、意匠性の向上、施工現場での取手取付作業性、精度の向上、メンテナンスやリフォームの際、異なった厚みの扉、異なった色調の取手への交換を容易にし、取手そのものが扉の木口化粧貼りを兼ねる取手付き扉を安価に提供する。【解決手段】扉３の側端縁Ｔに取手２が取り付けられた取手付き扉で、取手は引き手部２ａ、固定部２ｂ、嵌着部２ｃからなり、嵌着部の内面は扉側端縁Ｔに当接し、嵌着部の幅方向の両側端縁Ｋから略直角に且つ扉の内側方向に引き手部と固定部が互いに平行して設けられ、断面視略コの字型形状を有し、固定部は扉裏面に当接し、引き手部は扉表面側に突出して設けられ、指掛け用凹部Ｕが扉表面と引き手部の間に形成されるようにした。【選択図】図３
2008069588.tif 000002
【特許請求の範囲】
【請求項１】
扉側端縁に取手が取り付けられ、所定の幅、高さ、厚みを有する取手付き扉であって、前記取手は引き手部、固定部、嵌着部からなり、前記嵌着部の内面は扉の側端縁に当接し、嵌着部の幅方向の両側端縁から略直角方向に且つ扉の内側方向に引き手部と固定部が互いに略平行して設けられ、断面視略コの字型形状を有し、前記固定部は扉の裏面に当接し、前記引き手部は扉の表面側に所定寸法だけ突出して設けられ、指掛け用凹部が扉表面と引き手部の間で扉表面から外側へ突出して形成されていることを特徴とする取手付き扉。
【請求項２】
前記取手が扉の長手側端縁で高さ方向の全長にわたって設けられていることを特徴とする請求項１に記載の取手付き扉。
【請求項３】
前記取手が、前記引き手部とその側端縁から略直角に連接して設けられている第１嵌着面部からなり断面視略Ｌ字型を有する第１部材と、前記固定部とその側端縁から略直角に連接して設けられている第２嵌着面部からなり断面視略Ｌ字型を有する第２部材からなる二重構造を有し、前記第１嵌着面部又は第２嵌着面部のいずれか片方が扉側端縁に当接し、他方がその上に被さり、第１部材と第２部材を組み合わせて断面視略コの字型形状に設けられており、第１嵌着面部又は第２嵌着面部のうち、扉側端縁に接する方に扉の厚み方向に長い長穴からなる調整孔が設けられ、他方の嵌着面部に固定孔が設けられて第１嵌着面部と第２嵌着面部とは相互に扉厚み方向にスライド可能に組み合わせて構成されていることを特徴とする請求項１又は請求項２に記載の取手付き扉。
【発明の詳細な説明】
【技術分野】
【０００１】
本発明は、建築物や家具等に使用される開き戸、引き戸などの取手付き扉に関する。
【背景技術】
【０００２】
従来、建築物や家具等に使用される開き扉や引き戸の取手として、図６に示すように、開閉操作時の手掛かりとして扉１３の所定位置に取手１２が設けられ、従来の取手付き扉１１が構成されている。本例に示す従来型取手１２は、従来からある取手の一例であって、これ以外のさまざまなデザインの取手が用いられてきた。以下、開き扉を中心に詳述するが、引き戸の場合であっても基本的に同様である。
【０００３】
このような従来型取手１２にあっては、取手１２を取り付ける高さ位置が通常の平均身長の成人が開閉する際に最も使いやすい高さ位置として床面から約８００〜１１００ｍｍ程度の高さが一般的である。しかしながら、成人の間でも背の高い人、低い人など、人間の身長には大きなバラツキがあり、また、男女間での身長差も無視し得ない。さらに、子供、お年寄りのことも考慮するとなると、この身長差による扉の取手取り付け位置は使い易さという観点での最適値の設定が極めて困難であった。また、同じ人間でも、年齢を重ねると最適取手高さ位置が長年の間に変化していくといった問題点もあった。
【０００４】
また、履物を収納する玄関収納や、衣類や小物等を収納する壁面収納ユニットなどの場合、決してゆとりがあるとまでは言えない日本の住宅事情を考えると、収納効率、収納スペースの有効活用という観点で、玄関収納の場合、玄関スペースの天井面から土間又は玄関床面までをいっぱいに有効活用し収納スペースとして利用しようとする考え方が多くなってきており、また、壁面収納ユニットの場合、部屋の左右の壁面から壁面までいっぱいに、さらに天井面から床面までをいっぱいに有効活用し、収納スペースとして利用したいといった要望が多くなっている。
【０００５】
上記のような、玄関収納や壁面収納ユニットの場合、表面に用いられる扉に設ける取手については、扉自体が、ほぼ天井から床面までの長尺の扉が用いられ、前記したような、取手の取り付け高さ位置の最適値の設定の困難性という問題点は、これら長尺扉においても同様であった。
【０００６】
そこで、扉の側端面で高さ方向に全長にわたって取手を取り付けることができれば、前記したような取手の取り付け高さ位置の最適値の設定の困難性という問題点が解消するわけである。扉の上部側端面に、扉の全長又は一部分に扉一体型の取手を取り付けた扉の取手構造に関する記載があり、これを扉の左右側端面に設け、しかも扉の高さ方向の適度な位置に長目に設ければ上記問題点は解消すると思われる。扉の上部側端面に、扉の全長又は一部分に指を掛けるための凹部が設けられた扉一体型の取手を取り付けた扉の取手構造に関する記載が開示されている。（例えば、特許文献１及び２参照）。
【０００７】
【特許文献１】特開２００２−２１３１１１号公報（第１−３頁、第１−５図）
【特許文献２】特開２００４−２３２２８４号公報（第１−１０頁、第１−６図）
【発明の開示】
【発明が解決しようとする課題】
【０００８】
ところで、上記従来技術のなかで、特開２００２−２１３１１１号公報及び特開２００４−２３２２８４号公報に開示されている扉の取手構造においては、扉の上部側端面でなく、長尺扉の左右側端面に扉の高さ方向の全長にわたって同様の取手を取り付けるか、又は、全長でなくても必要とする長さ分だけ長目の取手を適度な高さ位置に取り付けることで、前記したような、取手の取り付け高さ位置の最適値の設定の困難性という問題点は、解消するものと思われる。
【０００９】
しかしながら、特開２００２−２１３１１１号公報及び特開２００４−２３２２８４号公報に開示されている扉の取手構造においては、指を掛けるために設けられた取手の凹部が扉の表面と裏面の間の位置に設けられており扉の表面から外側に突出していない。このため、前記指掛けのための凹部に指を引っ掛けて扉を開閉又はスライドさせる際に、扉と該扉の指掛け用凹部側に隣接する扉との間で手指を挟み込んでしまって思わぬ怪我をするといった問題点があった。
【００１０】
また、扉の種類によって扉の板厚がさまざま異なった場合、又は、扉製造時の扉厚みのバラツキが大きかった場合、特開２００４−２３２２８４号公報に開示されている板厚対応手段（約１ｍｍ程度の板厚のバラツキに対応可能）では、対応しきれないといった問題点もあった。
【００１１】
本発明は上述した事情に鑑みてなされたもので、本発明の目的は、特に玄関収納や壁面収納ユニットに用いられる長尺の扉の場合、成人と子供、お年寄り、男女間で身長差による取手の取り付け高さ位置の最適値の設定が大変困難であることを解消すること、また、加齢による前記取手取り付け高さ位置の最適値の経時変化に対応可能であること、さらには、扉開閉時やスライド時における指詰め怪我を防止すること、また、扉厚みにも柔軟に対応可能であること、さらに、天井面から床面まで通しで取手を取り付けることで視覚的な意匠性を向上させること、また、施工現場で極めて簡単に作業性良く、取り付け精度良く、取手取り付けの位置決めが容易にでき、取手を精度良く作業性良く取り付けることが可能で、しかも、メンテナンスやリフォームの際、異なった色調の取手を複数用意しておいて互いに交換し新たな意匠の扉とすることを可能にすること、さらには、扉の木口貼り化粧を省略でき取手そのものが木口化粧貼りを兼ねることができること、また、左右開き勝手兼用タイプ扉に対応可能なものとなること、また、取手自体が扉の反りを防止する働きを発揮し反りに対して強い扉とすること、そしてこのような取手付き扉を安価に提供することにある。
【課題を解決するための手段】
【００１２】
上記課題を解決するためになされた請求項１に記載の本発明の取手付き扉は、扉側端縁に取手が取り付けられ、所定の幅、高さ、厚みを有する取手付き扉であって、前記取手は引き手部、固定部、嵌着部からなり、前記嵌着部の内面は扉の側端縁に当接し、嵌着部の幅方向の両側端縁から略直角方向に且つ扉の内側方向に引き手部と固定部が互いに略平行して設けられ、断面視略コの字型形状を有し、前記固定部は扉の裏面に当接し、前記引き手部は扉の表面側に所定寸法だけ突出して設けられ、指掛け用凹部が扉表面と引き手部の間で扉表面から外側へ突出して形成されていることを特徴としている。
【００１３】
このような構成を有する本発明の取手付き扉によれば、指を引っ掛けるための凹部が扉表面から外側に突出し、しかも扉の内側方向に設けられ、取手の前記嵌着部が安全壁となるので、扉開閉時やスライド時における指詰め怪我を防止することが可能となる。
【００１４】
また、取手を構成する嵌着部の巾寸法を大きめにしておけば、扉厚みの多少のバラツキにも柔軟に対応可能となる。また、施工現場で極めて簡単に作業性良く、取り付け精度良く、しかも、取手取り付けの位置決めが容易に取手を取り付けることが可能で、しかも、メンテナンスやリフォームの際、異なった色調の取手を複数用意しておいて互いに交換し新たな意匠の扉とすることもできる。
【００１５】
請求項２に記載の本発明の取手付き扉は、請求項１に記載の取手付き扉において、前記取手が扉の長手側端縁で高さ方向の全長にわたって設けられていることを特徴としている。
【００１６】
このような構成を有する本発明の取手付き扉によれば、取手取り付け高さ位置の最適値の設定の困難性が完全に解消される。また、天井面から床面まで通しで取手を取り付けることで視覚的な意匠性を向上させることもできる。さらには、扉の木口貼り化粧を省略でき取手そのものが木口化粧貼りを兼ねることが可能で安価な取手付き扉が提供できる。
【００１７】
また、扉の木口貼り化粧を兼ねて扉の左右両方の長手側端縁に本発明の取手が設けられていると、左右開き勝手兼用タイプに対応可能なものとなる。
【００１８】
また、扉の長手側端縁で高さ方向の全長にわたって設けられていると、取手自体が扉の反りを防止する働きを発揮できる。
【００１９】
請求項３に記載の本発明の取手付き扉は、請求項１又は請求項２に記載の取手付き扉において、前記取手が、前記引き手部とその側端縁から略直角に連接して設けられている第１嵌着面部からなり断面視略Ｌ字型を有する第１部材と、前記固定部とその側端縁から略直角に連接して設けられている第２嵌着面部からなり断面視略Ｌ字型を有する第２部材からなる二重構造を有し、前記第１嵌着面部又は第２嵌着面部のいずれか片方が扉側端縁に当接し、他方がその上に被さり、第１部材と第２部材を組み合わせて断面視略コの字型形状に設けられており、第１嵌着面部又は第２嵌着面部のうち、扉側端縁に接する方に扉の厚み方向に長い長穴からなる調整孔が設けられ、他方の嵌着面部に固定孔が設けられて第１嵌着面部と第２嵌着面部とは相互に扉厚み方向にスライド可能に組み合わせて構成されていることを特徴としている。
【００２０】
このような構成を有する本発明の取手付き扉によれば、扉の種類が異なり扉厚みがかなり大きく変化しても、それに柔軟に対応可能となる。従って、１種類の寸法の取手を用意しておけば、扉厚みが相違する異なった種類の扉にも柔軟に対応できる。
【発明の効果】
【００２１】
請求項１に記載の発明によれば、指を引っ掛けるための凹部が扉表面から外側に突出し、しかも扉の内側方向に設けられ、取手の前記嵌着部が安全壁となるので、扉開閉時やスライド時における指詰め怪我を防止することが可能となる。また、取手を構成する嵌着部の巾寸法を大きめにしておけば、扉厚みの多少のバラツキにも柔軟に対応可能となる。また、施工現場で極めて簡単に作業性良く、取り付け精度良く、しかも、取手取り付けの位置決めが容易に取手を取り付けることが可能で、しかも、メンテナンスやリフォームの際、異なった色調の取手を複数用意しておいて互いに交換し新たな意匠の扉とすることもできる。
【００２２】
請求項２に記載の発明によれば、取手取り付け高さ位置の最適値の設定の困難性が完全に解消される。また、天井面から床面まで通しで取手を取り付けることで視覚的な意匠性を向上させることもできる。さらには、扉の木口貼り化粧を省略でき取手そのものが木口化粧貼りを兼ねることが可能で安価な取手付き扉が提供できる。また、扉の木口貼り化粧を兼ねて扉の左右両方の長手側端縁に本発明の取手が設けられていると、左右開き勝手兼用タイプに対応可能なものとなる。また、扉の長手側端縁で高さ方向の全長にわたって設けられていると、取手自体が扉の反りを防止する働きを発揮できる。
【００２３】
請求項３に記載の発明によれば、扉の種類が異なり扉厚みがかなり大きく変化しても、それに柔軟に対応可能となる。従って、１種類の寸法の取手を用意しておけば、扉厚みが相違する異なった種類の扉にも柔軟に対応できる。
【発明を実施するための最良の形態】
【００２４】
本発明の詳細を図面に従って説明する。図１は本発明の取手付き扉の第一実施形態を示す正面図、図２は図１のＡ−Ａ線断面図、図３は本発明の取手付き扉の第一実施形態を示す要部拡大斜視図、図４は本発明の取手付き扉を収納ボックスの扉に用いた実施例を示す水平断面図である。図５は本発明の取手付き扉の第二実施形態を示す。（イ）は要部拡大断面図を示し、（ロ）は一部切欠側面図を示す。
【００２５】
図１〜図３において、本発明の取手付き扉の第一実施形態を示す。図１の正面図に示すように、本発明の取手付き扉１は所定の幅、高さ、厚みを有する扉３の側端縁Ｔ、本例では向かって左側の側端縁に本発明の取手２が取り付けられている。取手２の取り付け位置は扉３の左側の側端縁に限定されるわけではなく、右側の側端縁であってもよいし、また、上下の側端縁であってもよいものとする。また、本例では扉３の側端縁Ｔ（本例では向かって左側の側端縁）の長さ方向の全長にわたって取手２が取り付けられているが、全長でなく一部分であっても勿論よいものとする。
【００２６】
また、扉３の木口貼り化粧を兼ねて扉３の左右両方の長手方向の側端縁Ｔに本発明の取手２が設けられていると、左右開き勝手兼用タイプ（左開きと右開き、いずれも可能な扉）に対応可能なものとなる。すなわち、扉３の木口貼り化粧を兼ねているので扉３の左右両方の長手方向の側端縁Ｔに取手２が設けられていても意匠上の不自然さは全くなく、左右開き勝手兼用タイプの扉として対応可能となるので大変便利である。しかし、この場合は使用する蝶番としては左右勝手兼用タイプの蝶番を用いる必要がある。
【００２７】
取手２が扉３の左右側端縁Ｔの高さ方向の全長にわたって取り付けられた場合、シンプルでスマートな意匠効果が創出できる。また、使用する人の身長差のバラツキが大きいことによる取手取り付け高さ位置の設定の困難性が解消できる。しかし、前記取手取り付け高さ位置の設定の困難性の解消は、必ずしも扉３の高さ方向の全長にわたって取手を取り付けなくても、床面から、例えば約５００ｍｍ〜１５００ｍｍ程度の高さにわたって約１ｍ程度の長さの取手を取り付けることでも解消可能である。この場合においても本発明の取手２を用いると、その取手としての、機能性、意匠性に優れたものとなる。
【００２８】
また、扉３の長手方向の側端縁Ｔで扉３の高さ方向の全長にわたって設けられていると、取手自体が扉の反りを防止する働きを発揮できる。すなわち、扉３が木質材料からなる扉であると、吸湿放湿時の木質材料の寸法変化が、扉表面と裏面でバランスに欠け、扉の長手方向に大きな反りが生じる恐れがある。本発明の取手２はアルミ、ステンレス、鋼板等からなる曲げ強度の大きな材料で構成されていると、断面視略コの字型形状を有しているので、扉３の長手方向の反りを有効に防止することが可能となる。
【００２９】
図２の断面図、及び、図３の斜視図に示すように、本発明の取手付き扉１に取り付ける取手２は、引き手部２ａと固定部２ｂと嵌着部２ｃからなり、断面視略コの字型形状を有している。前記嵌着部２ｃの内面Ｍは扉３の側端縁Ｔに当接している。さらに前記嵌着部２ｃの幅方向（扉の厚み方向）の両側端縁、すなわち嵌着部側端縁Ｋから略直角方向で且つ扉３の内側方向に前記引き手部２ａ及び固定部２ｂが互いに略平行して設けられている。
【００３０】
また、前記固定部２ｂは扉３の裏面３ｂに当接するようにして設けられており、固定部２ｂの所定箇所に固定孔Ｈ２が設けられている。該固定孔Ｈ２を利用して木ネジＮを扉３に向けてねじ込み、扉３に取手２を取り付け固定する。前記嵌着部２ｃの内面Ｍは扉３の側端縁Ｔに当接し、前記固定部２ｂは扉３の裏面３ｂに当接する構造ゆえ、取手取り付け時の取手２の扉幅方向に対する取り付け位置決めが極めて容易となり、しかも、取手２が扉３の高さ方向の全長にわたって設けられる構造であると、取手２の扉高さ方向の取り付け位置の設定が極めて容易となり、従って、取手取り付け作業が精度良く、しかも、作業性良くできる。
【００３１】
また、このような取手の固定構造であるので、将来、リフォームの際、異なる色調デザインの取手に交換する場合、又は、メンテナンスの際に新しい取手に交換する場合に、前記固定孔Ｈ２の木ネジＮをゆるめることで、極めて簡単に取手を取り替えることができる。
【００３２】
また、前記嵌着部２ｃの幅寸法は扉３の厚み寸法よりも大きく、嵌着部２ｃの幅寸法と扉３の厚み寸法の寸法差に相当する寸法だけ前記引き手部２ａが扉３の表面側に突出して設けられている。それゆえ、前記引き手部２ａと扉３の表面との間に指先が入る程度の凹部が形成され、指掛け用凹部Ｕが扉３の表面３ａから外側へ突出して形成されている。
【００３３】
このように指掛け用凹部Ｕが扉３の表面３ａから外側へ突出して、しかも扉の内側方向に設けられ、しかも、取手２の前記嵌着部２ｃが安全壁となり指先が滑って扉と扉の間に挟まってしまうのを有効に防止できる。このように、取手付き扉１を開閉する際に、誤って指先を滑らせ、扉と隣接する扉間に挟み込まれて思わぬ怪我をするといった危険が回避できる。
【００３４】
本発明の取手２の寸法は、先ず、取手２を構成する各部材、すなわち、引き手部２ａ、固定部２ｂ、嵌着部２ｃの材料の厚みは約０．５ｍｍ〜３．０ｍｍ程度のものが好適である。そして、扉３の厚みを例えば約２０〜３０ｍｍとし、また、扉３を立てて、正面から見た状態で、指掛け用凹部Ｕの扉厚み方向の内法有効寸法（奥行き方向の寸法）を約１５〜２５ｍｍとした場合、嵌着部２ｃの幅寸法（扉を正面から見て厚み方向の寸法すなわち奥行き方向の寸法）は約３６．０ｍｍ〜約６１．０ｍｍ程度となる。
【００３５】
一方、指掛け用凹部Ｕの幅方向の内法有効寸法（間口方向の寸法）を約１０〜３０ｍｍとした場合、引き手部２ａの幅寸法（扉を正面から見て幅方向の寸法すなわち間口方向の寸法）は約１０．５ｍｍ〜約３３．０ｍｍ程度となる。また、固定部２ｂの幅寸法も引き手部２ａと同程度の寸法が好適である。しかし、前記引き手部２ａの幅寸法と前記固定部２ｂの幅寸法は必ずしも同じ寸法である必要はなく、使い勝手、意匠性、取手取り付け作業性等を考慮して決める必要がある。
【００３６】
このように、指掛け用凹部Ｕの内法有効寸法の好適な範囲は、扉３を立てて正面から見て、扉の厚み方向の寸法（奥行き方向の寸法）で約１５〜２５ｍｍである。また、扉の幅方向の寸法（間口方向の寸法）で約１０〜３０ｍｍである。もちろん、これらの寸法に限定されるものではない。
【００３７】
また、図示しないが、嵌着部２ｃの面で扉３の側端縁Ｔと接している箇所に固定孔Ｈ２を設け、木ネジＮでねじ込むことで、固定部２ｂに設けた固定孔Ｈ２にねじ込まれた木ネジＮと合わせると、取手２の取り付け固定力を安定的に増強させることも可能である。
【００３８】
本発明の取手２の材質は、例えば、アルミ、ステンレス、塗装鋼板、亜鉛引き鋼板、真鍮、鉄板等の金属製の他、硬質の塩ビ樹脂、アクリル樹脂、ＡＢＳ樹脂、ポリカーボネート樹脂、ポリウレタン樹脂等の合成樹脂成型体等を好適なものとして例示できる。また、取手２の色調も扉３の色調やデザインに合わせてさまざまなものが適宜選定可能であり、扉デザインと合わせ意匠効果を向上させることができる。
【００３９】
図４において、本発明の取手付き扉１を、例えば、収納ボックスの扉に用いた実施例を示す。水平方向の断面を下から見上げた場合の断面図である。一実施例として収納ボックス４を複数個横に並べて設置した例である。本例では、左右の側板Ｇと裏板Ｂとで箱型のボックスが形成され、該ボックスの前面に本発明の取手付き扉１が取り付けられ、収納ボックス４が形成されている。本例では、収納ボックス４の開き扉（横開き扉）として用いた例である。扉３の向かって左側に取手２を取り付け、向かって右側の所定位置に蝶番Ｊが取り付けられている。本例ではいずれも開き扉の右開き（右勝手、下から見上げて時計廻りに扉が回転して開く例）の例を示す。しかし、扉３の開き勝手は、本例とは逆に左開き（左勝手）であっても勿論よいものとする。また、本例のように、横開きでなく上下方向に回転して開く方式でもよい。この場合は、扉３の左右側端縁Ｔでなく、上側の側端縁Ｔ又は下側の側端縁Ｔに取手２の嵌着部２ｃを当接させるようにする。扉３の上側の側端縁Ｔに取手２を設けると下開きの扉となり、逆に扉３の下側の側端縁Ｔに取手２を設けると上開きの扉となる。
【００４０】
また、扉３の木口貼り化粧を兼ねて扉３の左右両方の長手側端縁Ｔに本発明の取手２が設けられていると、左右開き勝手兼用タイプ（左開きと右開き、いずれも可能な扉）に対応可能なものとなる。すなわち、扉３の木口貼り化粧を兼ねているので扉３の左右両方の長手側端縁Ｔに取手２が設けられていても意匠上の不自然さは全くなく、左右開き勝手兼用タイプの扉として対応可能となるので大変便利である。しかし、この場合は使用する蝶番としては左右勝手兼用タイプの蝶番を用いる必要がある。
【００４１】
また、本例では収納ボックス４の開き扉として用いられた例を示すが、図示しないが、
開き扉以外に引き戸等であっても勿論よいものとする。また、引き戸の木口貼り化粧を兼ねているので引き戸の左右両方の長手側端縁Ｔに取手２が設けられていても意匠上の不自然さは全くない。取手が左右両方についていると使い勝手が良くなる。
【００４２】
また、扉３や引き戸の構造は、例えば、芯材としてフラッシュ構造の芯材、又は、密実構造の芯材等が用いられる。前記芯材の材料は、合板、中比重繊維板、平行合板（ＬＶＬ）、木削片板、集成材等が好適である。これらの芯材の表面裏面の両面に化粧板が貼着され扉３や引き戸が構成されている。前記化粧板の表面化粧材は、例えば、木目柄の印刷が施された塩ビ樹脂シート、オレフィン樹脂シート等の樹脂化粧シートの他、化粧紙、天然銘木からなる突板、単板等が好適なものとして例示できる。これらの中で、芯材構造をフラッシュ構造とし、表面化粧材をオレフィン樹脂シートとするのが、扉又は引き戸としての性能、耐久性、使い勝手、コスト等の観点から最も好適である。しかし、上記以外の材料、構成であっても、勿論よいものとする。
【００４３】
また、収納ボックス４のボックスを構成する材料は、合板、中比重繊維板、木削片板、平行合板（ＬＶＬ）、木材無垢等を芯材とするフラッシュ構造の芯材の表面に化粧板を貼り合わせたものが好適に用いられる。前記化粧板に用いる化粧シートとしては、木目又は単色無地の化粧紙等を好適なものとして例示できる。しかし、上記以外の材料、構成であっても、勿論よいものとする。
【００４４】
図５において、本発明の取手付き扉１の第二実施形態について説明する。第二実施形態における本発明の取手２は断面視Ｌ字型を有する第１部材Ｌ１と断面視Ｌ字型を有する第２部材Ｌ２との組み合わせで構成されている。そして、嵌着部２ｃが第１嵌着面部２ｃ１と第２嵌着面部２ｃ２との二重構造で構成されている。第一実施形態における取手２が断面視略コの字型の１つの部材であるのに対して、第二実施形態における取手２は断面視略Ｌ字型を有する２つの部材Ｌ１とＬ２の組み合わせである。
【００４５】
すなわち、前記第１部材Ｌ１は、引き手部２ａとその側端縁Ｅ１から略直角に連接して形成されている第１嵌着面部２ｃ１とで構成され断面視略Ｌ字型形状を有している。また、前記第２部材Ｌ２は、固定部２ｂとその側端縁Ｅ２から略直角に連接して形成されている第２嵌着面部２ｃ２とで構成され断面視略Ｌ字型形状を有している。従って、嵌着面部は、第１嵌着面部２ｃ１と第２嵌着面部２ｃ２との、２つの部材で構成されている。第１嵌着面部２ｃ１の内面と第２嵌着面部２ｃ２の内面の、いずれか片方が前記扉３の側端縁Ｔ（扉の木口面又は木場面）に当接しており、他方がその上に被さり且つ相互に扉厚み方向にスライド可能なように構成されている。このように、断面視Ｌ字型を有する２つの部材、すなわち、第１部材Ｌ１及び第２部材Ｌ２とで構成されている。このようにして第１部材Ｌ１と第２部材Ｌ２とを扉の側端縁Ｔにて組み合わせると、断面視略コの字型形状を有することになる。
【００４６】
第１部材Ｌ１の引き手部２ａが扉表面３ａ側に、そして、第１嵌着面部２ｃ１が扉の側端縁Ｔ側になるようにして設けられる。また、第２部材Ｌ２の固定部２ｂが扉裏面３ｂ側に、そして、第２嵌着面部２ｃ２が扉の側端縁Ｔ側になるようにして設けられる。このとき、前記第１嵌着面部２ｃ１の内面又は第２嵌着面部２ｃ２の内面のいずれか片方が扉の側端縁Ｔに当接し、他方がその上に被さり、相互に扉厚み方向にスライド可能な構成とされている。
【００４７】
また、前記第１嵌着面部２ｃ１及び第２嵌着面部２ｃ２の寸法は、嵌着面部の幅寸法（扉を正面から見て厚み方向の寸法すなわち奥行き方向の寸法）として、第１部材Ｌ１と第２部材Ｌ２を断面視略コの字型形状に組み合わせた場合で、前記したように、約３６．０ｍｍ〜約６１．０ｍｍ程度である。そして、この寸法を前提とし、第２嵌着面部２ｃ２の内面が、前記扉３の側端縁Ｔ（扉の木口面又は木場面）に当接する場合を考えると、第１嵌着面部２ｃ１と第２嵌着面部２ｃ２との被さり部分の寸法を約２０〜３０ｍｍとした場合、第１嵌着面部２ｃ１の好適な幅寸法（扉の厚み方向の寸法）は約４０〜６５ｍｍ程度である。また、第２嵌着面部２ｃ２の好適な幅寸法（扉の厚み方向の寸法）は約２５〜３５ｍｍ程度である。
【００４８】
また、扉側端縁Ｔに接する方の第１又は第２の嵌着面部２ｃ１又は２ｃ２に扉の厚み方向に細長い形状を有する調整孔Ｈ１が設けられ、他方の第１又は第２の嵌着面部２ｃ１又は２ｃ２の前記調整孔Ｈ１に見合う位置に長穴でない固定孔Ｈ２が設けられている。
【００４９】
本例では、前記第２嵌着面部２ｃ２の内面が扉３の側端縁Ｔに当接している。そして、前記第２嵌着面部２ｃ２の上に前記第１嵌着面部２ｃ１が被さり、第２嵌着面部２ｃ２と第１嵌着面部２ｃ１とは相互に扉厚み方向にスライド可能な構成とされている。さらに、前記第２嵌着面部２ｃ２には扉厚み方向に細長い長穴が調整孔Ｈ１として設けられており、その上に被さっている前記第１嵌着面部２ｃ１には長穴でない形状の固定孔Ｈ２が設けられている。
【００５０】
取手２を扉３に取り付ける際、調整孔Ｈ１を有する方の第２嵌着面部２ｃ２を扉側端縁Ｔに当接させ、続いて固定孔Ｈ２を有する方の第１嵌着面部２ｃ１をその上に被せ、第２嵌着面部２ｃ２と断面視Ｌ字型に連接して設けられている固定部２ｂの固定孔Ｈ２を利用して木ネジＮを扉３の裏面にねじ込み取り付け固定する。続いて、第２嵌着面部２ｃ２の上に被せた第１嵌着面部２ｃ１を適度に扉厚み方向にスライドさせ、指掛け用凹部Ｕの厚み方向の大きさ（奥行き方向の大きさ）を指先が入る丁度良い寸法に調節設定し、前記第２嵌着面部２ｃ２に設けられている調整孔Ｈ１及び第２嵌着面部２ｃ２の上に被さっている前記第１嵌着面部２ｃ１に設けられている固定孔Ｈ２に木ネジＮをねじ込み、しっかりと固定する。
【００５１】
このようにして、扉側端縁Ｔと接する方の嵌着面部（本例では第２嵌着面部２ｃ２）に調整孔Ｈ１として長穴を設け、他方（第１嵌着面部２ｃ１）に長穴でない固定孔Ｈ２を設ける構成としたので、例えば、将来のリフォームやメンテナンスの際、厚みが異なる扉に取り替える場合、扉の厚みが異なっていても対応が簡単に可能となる。すなわち、前記嵌着面部の木ネジＮをゆるめ、前記調整孔Ｈ１（長穴）を利用して、第１嵌着面部２ｃ１と第２嵌着面部２ｃ２との間でスライドさせ、取手２の引き手部２ａの内面と扉３の表面３ａとの距離を適度な寸法（指先が入るちょうど良い寸法）になるように調整し、指掛け用凹部Ｕの扉厚み方向の寸法を指先が入るちょうど良い寸法に調整する。調整し終われば、前記ゆるめた嵌着面部の木ネジＮをしっかりと締めて固定すればこれで完了である。
【００５２】
なお、本発明の取手付き扉１の実施形態を開き扉の例で説明したが引き戸の場合であっても基本的に同様である。
【図面の簡単な説明】
【００５３】
【図１】本発明の取手付き扉の第一実施形態を示す正面図。
【図２】図１のＡ−Ａ線断面図。
【図３】本発明の取手付き扉の第一実施形態を示す要部拡大斜視図。
【図４】本発明の取手付き扉を収納ボックスの扉に用いた実施例を示す水平断面図。
【図５】本発明の取手付き扉の第二実施形態を示す。（イ）要部の拡大断面図。（ロ）一部切欠側面図。
【図６】従来の取手付き扉を示す斜視図。
【符号の説明】
【００５４】
１      取手付き扉
２      取手
２ａ    引き手部
２ｂ    固定部
２ｃ    嵌着部
Ｌ１    第１部材
Ｌ２    第２部材
２ｃ１  第１嵌着面部
２ｃ２  第２嵌着面部
Ｕ      指掛け用凹部
Ｍ      嵌着部内面
Ｋ      嵌着部側端縁
Ｅ１    引き手部の側端縁
Ｅ２    固定部の側端縁
Ｈ１    調整孔
Ｈ２    固定孔
３      扉
３ａ    扉表面
３ｂ    扉裏面
Ｔ      扉側端縁
４      収納ボックス
Ｊ      蝶番
Ｇ      側板
Ｂ      裏板
Ｎ      木ネジ
１１    従来の取手付き扉
１２    従来の取手
１３    従来の扉
【図１】
2008069588.tif 000003
【図２】
2008069588.tif 000004
【図３】
2008069588.tif 000005
【図４】
2008069588.tif 000006
【図５】
2008069588.tif 000007
【図６】
2008069588.tif 000008